(57)【要約】【課題】携帯に便利であり、例えば携帯電話等のモバイル機器に取り付けておき、表示画面等の表面に付着した汚れを拭き取ることができ、汚れが蓄積したら最表面の清浄用シートを剥がして捨てることができ、汚れを転着させることがない使い捨て清浄具及びモバイル機器用使い捨て清浄具を提案する。【解決手段】本発明の使い捨て清浄具２１は、同一形状に加工した清浄用シート２２の複数枚を積層すると共に、接面する清浄用シート２２，２２同士のめくり部２４を除く全外周縁を接着してなる。【選択図】　　　　図２
2004135816.tif 000002
【特許請求の範囲】
【請求項１】
同一形状に加工した清浄用シートの複数枚を積層すると共に、接面する清浄用シート同士の全外周縁を接着してなることを特徴とする使い捨て清浄具。
【請求項２】
同一形状に加工した清浄用シートの複数枚を積層すると共に、接面する清浄用シート同士のめくり部を除く全外周縁を接着してなることを特徴とする使い捨て清浄具。
【請求項３】
請求項１又は２に記載の清浄具を、それと略同一形状に成形した基板の少なくとも一面に固定すると共に、基板にモバイル機器又はストラップに取り付けるための連結材を固定してなることを特徴とするモバイル機器用使い捨て清浄具。
【請求項４】
基板の他面には各種の飾り或いは表示を施してなることを特徴とする請求項３に記載のモバイル機器用使い捨て清浄具。
【発明の詳細な説明】
【０００１】
【発明の属する技術分野】
本発明は、携帯に便利であり、例えば携帯電話等のモバイル機器に取り付けておき、表示画面等の表面に付着した汚れを拭き取ることができる使い捨て清浄具に関し、さらに詳しくは汚れが蓄積したら最表面の清浄用シートを剥がして捨てることができ、汚れを転着させることがない使い捨て清浄具及びモバイル機器用使い捨て清浄具に関する。
【０００２】
【従来の技術】
携帯電話等のモバイル機器の表示画面等を清浄するものとしては、各種の提案がなされている（例えば、特許文献１〜６参照）。
【０００３】
【特許文献１】
特開２００２−７８５２２公報
【特許文献２】
特開２０００−３４２３２２公報
【特許文献３】
実用新案登録第３０８７３０８号公報
【特許文献４】
実用新案登録第３０８６９７５号公報
【特許文献５】
実用新案登録第３０８４０５０号公報
【特許文献６】
実用新案登録第３０８０８７０号公報
【０００４】
これらは、携帯電話等のストラップやマスコットとして提案されたものであって、帯状のストラップ自体を清浄用シート材としたり、清浄用シート材をマスコット形状に加工したり、或いはマスコットの裏面に清浄具を沿わせている。
【０００５】
【発明が解決しようとする課題】
しかしながら、前記従来の何れの提案も、清浄には、一枚の清浄用シート材を継続的に用いるため、次第に汚れが清浄用シート材に蓄積され、汚れを拭き取る作業が逆に汚れの一部を転着させてしまうことになっていた。そのため、携帯電話等の表示画面や眼鏡レンズなどを美麗に清浄することができなかった。
【０００６】
【課題を解決するための手段】
本発明は、上記に鑑み提案されたもので、同一形状に加工した清浄用シートの複数枚を積層すると共に、接面する清浄用シート同士の全外周縁を接着してなることを特徴とする使い捨て清浄具に関する。
【０００７】
また、本発明は、同一形状に加工した清浄用シートの複数枚を積層すると共に、接面する清浄用シート同士のめくり部を除く全外周縁を接着してなることを特徴とする使い捨て清浄具をも提案する。
【０００８】
さらに、本発明は、前記清浄具を、それと略同一形状に成形した基板の少なくとも一面（片面又は両面）に固定すると共に、基板にモバイル機器又はストラップに取り付けるための連結材を固定してなることを特徴とするモバイル機器用使い捨て清浄具をも提案するものである。
【０００９】
【作用】
本発明の使い捨て清浄具は、最表面の清浄用シートに汚れが蓄積したら、それを剥がして内側の清浄用シートを最表面に露出させることができ、前記従来の一枚の清浄用シート材を継続的に用いる清浄具のように汚れを転着させることがないので、モバイル機器の表示画面等や眼鏡レンズなどを美麗に清浄することができる。
【００１０】
【発明の実施の形態】
本発明の使い捨て清浄具を構成する清浄用シートは、特にその構成や材質を限定するものではなく、不織布、織布等の繊維布、或いはそれに各種薬品類を含浸させた繊維布などを用いることができ、繊維布の繊維素材としては、極細繊維や超極細繊維を用いたものが望ましい。
【００１１】
この清浄用シートの形状は、特に限定するものではなく、例えば矩形状（直方体）でも円形状（円盤状）でも多角形（多角形盤状）でも良く、或いはアニメキャラクターの形状を模したもの等でも良い。このような形状にするための加工についても特に限定するものではなく、適宜公知の装置設備を用いて加工すれば良い。
尚、予め清浄用シートを一枚毎に所定形状に加工し、適宜枚数積層しても良いが、予め原料繊維布を適宜枚数積層した状態で、所定形状に断裁するようにしても良い。
【００１２】
そして、接面する清浄用シート同士の全外周縁（請求項１）、或いはめくり部を除く全外周縁（請求項２）を接着するが、特にその具体的構成を限定するものではない。例えば清浄用シートを複数枚積層した状態の端縁に、接着剤溶液を接触（含浸）させると、各清浄用シートに接着剤溶液が染み込み、これを圧着、乾燥することにより、接面する清浄用シート同士の端縁が接着される。この場合、圧着する面積、接着剤溶液の種類及び濃度、接触（含浸）方法及び時間などを調整することにより、所望の接着力にて接着することができる。
【００１３】
接面する清浄用シート同士の全外周縁を接着した場合（請求項１）の使い捨て清浄具は、携帯に便利であり、従来のポケットティッシュと同様に衣服のポケットやバッグの中に入れた状態で携帯し、眼鏡レンズの拭き取りなどに好適に使用することができる。特に従来のポケットティッシュは、必要な組数のティッシュペーパーを収納袋から取り出して折り畳んで拭き取りなどに使用するのに対し、本発明の使い捨て清浄具は、それと同様に必要な枚数の清浄用シートを剥がして使用しても良いが、剥がさないでそのままの状態で使用した後、汚れが付着した最表面の清浄用シートのみを剥がして内側の清浄用シートを最表面に露出させるようにすることができる。そのため、例えば指先に力を入れて眼鏡レンズを拭き取る場合などにおいて、一組（二枚一組）や二組のティッシュペーパーでは指先の圧力で破れて指先の脂を付着させてしまう場合も生じ、折り畳んで使用する必要があり、清浄に寄与する部分は極めて僅かであり、それ以外の部分は清浄に寄与することもなく捨てられてしまう。これに対し、本発明の清浄具では複数枚の清浄用シートが始めから積層状態であり、最裏面の清浄用シートを指先で支持して眼鏡レンズ等に最表面の清浄用シートを押し付けながら擦ることにより清浄が行われるので、指先の圧力で破れることがなく容易に拭き取り作業を行うことができ、最表面の清浄用シートの隅々まで清浄に寄与させることができ、極めて有効に利用することができる。そして、汚れが蓄積した最表面の清浄用シートのみを剥がして捨てるが、その時機は清浄作業の直後でも良いし、新たな清浄作業の直前でも良い。
また、従来のポケットティッシュは、一組一組のティッシュペーパーが独立して積層されているので、バラバラになることがないようにプラスティック製の袋内に収納されているが、本発明の清浄具は、接面する清浄用シート同士の全外周縁を接着した構成であるため、プラスティック製の袋内に収納しなくても清浄用シートがバラバラになることがなく、各清浄用シートの間にゴミや埃などが入り込むこともないし、摩擦によりぼろぼろになることもない。
【００１４】
尚、清浄用シートは基本的に乾式の拭き取り材であるが、清浄用シートに洗浄液を含浸（湿潤）させ、ウエットティッシュタイプとしても良い。但し、この場合、清浄時以外の保管時などにおいて清浄用シートに手や物品が接触することを防止するための構成、例えば袋に収納するなどの構成が必要となる。
【００１５】
また、接面する清浄用シート同士のめくり部を除く全外周縁を接着した場合（請求項２）の使い捨て清浄具も、同様の効果を奏することができる。
加えて端縁が接着していないめくり部を有しているので、汚れが蓄積した最表面の清浄用シートを剥離する際にこのめくり部を容易にめくって剥がすことができる。
このようなめくり部は、突出部として形成する態様と、一部を未接着部分として形成する態様とがある。突出部として形成する場合は、特にその形状を限定するものではない。また、未接着部分とする場合は、一辺や角部分などを選択することができるが、特にそれらに限定するものではない。
【００１６】
さらに、本発明のモバイル機器用使い捨て清浄具（請求項３）は、前述のように前記清浄具を、それと略同一形状に成形した基板の少なくとも一面に固定すると共に、基板にモバイル機器又はストラップに取り付けるための連結材を固定してなる構成である。このモバイル機器用使い捨て清浄具においても、その形状や寸法は特に限定するものではなく、適用する携帯電話等のモバイル機器の種類に応じて適宜に設定すれば良い。
【００１７】
ここで用いられる基板は、特にその材質を限定するものではなく、例えば厚手の繊維布、厚紙、樹脂板、金属板でも良い。中でも特に厚手の繊維布を用いる場合には、前述の清浄用シートの積層並びに端縁の接着に際して同様に製造することができるという利点がある。また、全ての清浄用シートを使い果たした後は、厚手の繊維布である基板そのものを清浄作業に用いることができる。尚、基板の一面のみに前記清浄具を固定する場合、基板の他面には、印刷などの加工により、各種の飾り或いは表示を施すようにしても良い。
また、連結材は、繊維や樹脂、金属などからなる紐、帯、チェーン状であって特にその材質及び構成を限定するものではない。
【００１８】
このモバイル機器用使い捨て清浄具（請求項３）は、清浄具の裏面側に基板が設けられ、基板を指先で支持して表示画面等に押圧しながら擦ることにより清浄が行われるので、清浄用シートの最後の一枚まで破れたりすることがなく極めて有効に利用することができる。その際、基板が比較的硬質の厚紙や樹脂板、金属板である場合には、指先の押圧力が略均一に清浄具に伝わるので、最表面の清浄用シートの隅々まで汚れを付着させて清浄に寄与させることができる。
【００１９】
【実施例】
以下、図面の実施例により本発明をより具体的に説明するが、本発明はこれらの実施例に限定されるものではない。
【００２０】
図１に示す使い捨て清浄具１１は、携帯用の眼鏡レンズ拭き等に用いられるものであり、５〜１０ｃｍ程度の略楕円形状に加工されている。その構成は、１０枚の不織布からなる清浄用シート１２を積層したものであり、接面する清浄用シート１２，１２はその全外周縁が接着（ヒートシール用接着剤を用いた熱圧着によって接着）されている。図中、１３は接着部分を示す。
【００２１】
この使い捨て清浄具１１は、衣服のポケットやバッグの中に入れた状態で携帯し、眼鏡レンズなどの清浄に好適に使用することができた。清浄作業に際し、最裏面の清浄用シート１２を指先や掌で支持し、眼鏡レンズに最表面の清浄用シートを押し付けながら拭いたが、強く拭いても破れることがなく、清浄用シート１２の隅々まで利用することができた。そして、汚れ面を内側にして折り畳んで、再び衣服のポケットなどに収納したので、指先や掌が汚れることもなかった。そのような操作を繰り返し、最表面の清浄用シート１２に汚れが蓄積したら、指でつまんで（図１（ｂ）参照）剥がすことにより、内側の清浄用シート１２を露出させることができ、美麗な状態で汚れの拭き取りを行うことができた。
【００２２】
図２に示す使い捨て清浄具２１は、モバイル機器用使い捨て清浄具である。
まず、１０枚の不織布からなる清浄用シート２２を積層して約３ｃｍ径の略円形状に断裁し、その周縁に形成した半円形状の突出部であるめくり部２４を除く全外周縁を、ヒートシール用接着剤を用いた熱圧着によって接着した（接着部分２３）。
次に、基板２５を、ポリプロピレン製の板材により、上部に連結材２６を取り付ける孔を設けた略円形状に加工し、一面（裏面）に印刷により飾り２７を施して作製した。
そして、基板２５の孔に連結材２６を取り付けると共に、飾り２７を施した逆面（表面）に前記清浄用シート２２の積層体を固定した。
【００２３】
こうして得られた使い捨て清浄具２１は、モバイル機器に連結材２６を取り付け、アクセサリーとしての意匠性にも優れ、モバイル機器の表示画面等の清浄に好適に使用することができた。清浄作業に際し、基板２５を指先で支持して最表面の清浄用シート２２を表示画面等に押圧しながら拭いたが、清浄用シート２２の最後の一枚まで破れたりすることがなく極めて有効に利用することができた。その際、ポリプロピレン製の板材である基板２５を用いたので、指先の押圧力が略均一に清浄具（清浄用シート）に伝わり、最表面の清浄用シート２２の隅々まで汚れを付着させて清浄に寄与させることができた。また、最表面の清浄用シート２２に汚れが蓄積したら、めくり部２４を容易にめくって剥がすことができ、内側の清浄用シート２２を露出させることができ、美麗な状態で汚れの拭き取りを行うことができた。
【００２４】
前記図２の実施例では、めくり部２４を、突出部として形成する態様を示したが、図３には、めくり部３４ａ，３４ｂを、一部を未接着部分として形成する態様を示した。即ち図３（ａ）の使い捨て清浄具３１ａは、一辺を未接着部分としためくり部３４ａを形成した例であり、図３（ｂ）の使い捨て清浄具３１ｂは、角部分を未接着部分としためくり部３４ｂを形成した例である。
何れの例でも、最表面の清浄用シート３２ａ，３２ｂに汚れが蓄積したら、めくり部３４ａ，３４ｂを容易にめくって剥がすことができ、内側の清浄用シート３２ａ，３２ｂを露出させることができ、美麗な状態で汚れの拭き取りを行うことができた。
【００２５】
以上本発明を実施例に基づいて説明したが、本発明は前記した実施例に限定されるものではなく、特許請求の範囲に記載した構成を変更しない限りどのようにでも実施することができる。
【００２６】
【発明の効果】
以上説明したように本発明の使い捨て清浄具は、携帯に便利であり、例えば携帯電話等のモバイル機器に取り付けておき、表示画面等の表面に付着した汚れを拭き取ることができ、汚れが蓄積したら最表面の清浄用シートを剥がして清浄すれば良いので、汚れを転着させることがなく、携帯電話等の表示画面や眼鏡レンズなどを美麗に清浄することができる。
また、例えば指先に力を入れて表示画面や眼鏡レンズなどを拭き取る場合などにおいて、一組（二枚一組）や二組のティッシュペーパーでは、指先の圧力で破れ易く、指先の脂を付着させてしまう場合も生じ、そのため折り畳んで使用する必要があった。そのため、清浄に寄与する部分は極めて僅かであり、それ以外の部分は清浄に寄与することもなく捨てられていた。これに対し、本発明の使い捨て清浄具では複数枚の清浄用シートが始めから積層状態であり、最裏面の清浄用シートを指先で支持して眼鏡レンズ等に最表面の清浄用シートを押し付けながら擦ることにより清浄が行われるので、指先の圧力で破れることがなく容易に拭き取り作業を行うことができ、最表面の清浄用シートの隅々まで清浄に寄与させることができ、極めて有効に利用することができる。
さらに、本発明の清浄具は、接面する清浄用シート同士の全外周縁を接着した構成であるため、プラスティック製の袋内に収納しなくても清浄用シートがバラバラになることがなく、各清浄用シートの間にゴミや埃などが入り込むこともないし、摩擦によりぼろぼろになることもない。
【００２７】
また、端縁が接着していないめくり部を設けた場合、汚れが蓄積した最表面の清浄用シートを剥離する際に、このめくり部を容易にめくって剥がすことができる。
【００２８】
前記清浄具を、基板の少なくとも一面に固定すると共に、基板にモバイル機器又はストラップに取り付けるための連結材を固定したモバイル機器用使い捨て清浄具においては、基板を指先で支持して表示画面等に押圧しながら擦ることにより清浄が行われるので、清浄用シートの最後の一枚まで破れたりすることがなく極めて有効に利用することができる。
【００２９】
基板の一面のみに前記清浄具を固定する場合、基板の他面に各種の飾り或いは表示を施すようにすると、携帯電話等のモバイル機器のアクセサリーなどとしての機能も果たすものとなる。
【図面の簡単な説明】
【図１】（ａ）本発明の使い捨て清浄具の一実施例を示す正面図、（ｂ）Ａ−Ａ線における断面図である。
【図２】（ａ）本発明の使い捨て清浄具の他の一実施例を示す清浄用シート側から見た正面図、（ｂ）背面図（基板側から見た正面図）、（ｃ）Ｂ−Ｂ線における断面図である。
【図３】めくり部の他のバリエーションを示す正面図である。
【符号の説明】
１１，２１，３１ａ，３１ｂ　使い捨て清浄具
１２，２２，３２ａ，３２ｂ　清浄用シート
１３，２３，３３ａ，３３ｂ　接着部分
２４，３４ａ，３４ｂ　めくり部
２５　基板
２６　連結材
２７　飾り
【図１】
2004135816.tif 000003
【図２】
2004135816.tif 000004
【図３】
2004135816.tif 000005